(57)【要約】【課題】  非接触カードを搭載した携帯電話機等を鞄などにしまったまま非接触カードによる決済処理を可能とする。【解決手段】  基地局との間で無線通信を行う無線部６と、相手方１と非接触でデータ通信を行う非接触カード４と、非接触カード４に着脱自在に接続され相手方１と近距離通信を行う非接触カード用外部アンテナ２１とを備える。これにより、内蔵アンテナ３を質問器用アンテナ２に近づけなくても、外部アンテナ２１さえ質問器用アンテナ２に近づけさえすれば、非接触カード４を用いた決済処理が可能となる。【選択図】  図１
2006025172.tif 000002
【特許請求の範囲】
【請求項１】
基地局との間で無線通信を行う無線部と、相手方と非接触でデータ通信を行う非接触カードと、前記非接触カードに着脱自在に接続され前記相手方と近距離通信を行う非接触カード用外部アンテナとを備えることを特徴とする非接触カード搭載型移動体通信装置。
【請求項２】
前記非接触カード用外部アンテナが接続されたとき前記非接触カードから切り離される非接触カード用内蔵アンテナを搭載したことを特徴とする請求項１に記載の非接触カード搭載型移動体通信装置。
【発明の詳細な説明】
【技術分野】
【０００１】
本発明は、携帯電話機等の移動体通信装置に係り、特に、自動改札機等との間でデータ通信を行い料金決済等を行うＩＣカード等の非接触カードを搭載した非接触カード搭載型移動体通信装置に関する。
【背景技術】
【０００２】
下記特許文献１、２に記載されている様に、携帯電話機等にＩＣカード等の非接触カードを搭載し、この携帯電話機を自動改札機等にかざすだけで、非接触カードと自動改札機との間で通信を行わせ、乗車料金の決済を行うことができるようになってきている。
【０００３】
斯かる携帯電話機は、図５に示す様に、携帯電話機１０本来の通信機能を果たす無線部６及び制御部５を備える他に、制御部５によって制御される非接触カード４が内蔵される。非接触カード４には、携帯電話機１０のアンテナ７とは異なる非接触カード用アンテナ３が設けられ、自動改札機内に設置された質問器１にも質問器用アンテナ２が設けられ、両アンテナ２、３間で近距離通信を行い、料金決済等を行う。質問器１とは、例えば、下記特許文献３に記載されている様な非接触式ＩＣカード用リーダライタである。
【０００４】
非接触カード４と質問器１との間でデータ通信を行なわせ、料金決済等を行う場合、従来の携帯電話機１０は、非接触カード用アンテナ３が携帯電話機１０に内蔵されているため、携帯電話機１０自身を自動改札機の所定位置に対し数センチ以内に近づける必要がある。これは、隣の自動改札機に設置された質問器と間違ってデータ通信を行わせないようにするためである。
【０００５】
【特許文献１】特開２００４―６２２６５号公報
【特許文献２】特開２００３―３６４２７号公報
【特許文献３】特開２００３―１６２６９６号公報
【発明の開示】
【発明が解決しようとする課題】
【０００６】
しかしながら、自動改札機を通過する人の中には、携帯電話機を鞄などにしまっている人もいる。この様な人にとっては、自動改札機を通過する度に携帯電話機を鞄等から外に出さないと、質問器用アンテナに対し携帯電話機を至近距離に近づけることができず、不便である。
【０００７】
本発明の目的は、非接触カードを搭載した携帯電話機等を鞄などにしまったまま質問器との間で近距離通信を行うことが可能な非接触カード搭載型移動体通信装置を提供することにある。
【課題を解決するための手段】
【０００８】
本発明の非接触カード搭載型移動体通信装置は、基地局との間で無線通信を行う無線部と、相手方と非接触でデータ通信を行う非接触カードと、前記非接触カードに着脱自在に接続され前記相手方と近距離通信を行う非接触カード用外部アンテナとを備えることを特徴とする。
【０００９】
この構成により、移動体通信装置を鞄などに収納した状態でも、外部アンテナさえ相手方である質問器用アンテナに近づけることができれば、所要のデータ通信が可能となる。
【００１０】
本発明の非接触カード搭載型移動体通信装置は、前記非接触カード用外部アンテナが接続されたとき前記非接触カードから切り離される非接触カード用内蔵アンテナを搭載したことを特徴とする。
【００１１】
この構成により、非接触カード搭載型移動体通信装置を手に持っているときは一々外部アンテナを接続しなくても所要のデータ通信が可能となる。
【発明の効果】
【００１２】
本発明によれば、非接触カードを搭載した携帯電話機等の移動体通信装置を鞄などにしまったまま質問器との間で近距離によるデータ通信を行うことが可能なため、移動体通信装置の使い勝手が向上する。
【発明を実施するための最良の形態】
【００１３】
以下、本発明の一実施形態について、図面を参照して説明する。
【００１４】
図１は、本発明の一実施形態に係る非接触カード搭載型移動体通信装置のブロック構成図である。移動体通信装置は、例えば、ＧＳＭ、ＰＤＣ等のデジタル方式の無線電話機やアナログ方式の無線電話機、パーソナルハンディホンシステム（ＰＨＳ）、無線通信を受信あるいは送信するＰＤＡ等の情報端末装置等のいずれでもよい。
【００１５】
この移動体通信装置２０は、基地局との間で無線通信を行う無線部６及び制御部５と、無線部６に接続された高周波アンテナ７とを備える他に、ＩＣカード等の非接触カード４と、アンテナ切替スイッチ１２と、非接触カード用内蔵アンテナ３を備える。
【００１６】
アンテナ切替スイッチ１２は、非接触カード用内蔵アンテナ３に接続される第１接点３ａと、非接触カード用外部アンテナ２１が着脱自在に接続される第２接点３ｂと、非接触カード４に接続され第１接点３ａまたは第２接点３ｂに切換接続される共通接点３ｃとを備える。
【００１７】
移動体通信装置２０の筐体には、第２接点３ｂに接続されるコネクタ等の接続手段１１が設けられ、接続手段１１に非接触カード用外部アンテナ２１が接続されたときは質問器１に接続された質問器用アンテナ２と非接触カード用外部アンテナ２１との間で料金決済等のデータ通信が近距離で行われ、非接触カード用外部アンテナ２１が接続手段１１に接続されていないときは非接触カード用内蔵アンテナ３と質問器用アンテナ２との間で料金決済等のデータ通信が近距離で行われる。
【００１８】
図２は、接続手段１１及びアンテナ切替スイッチ１２の具体的な構造図である。図示する例では、非接触カード４に接続された弾設バネ１３が設けられており、この弾設バネ１３が弾接するピン１４が非接触カード用内蔵アンテナ３に接続されている。そして、弾設バネ１３の先端部とピン１４との間にプラグ１５が挿入可能に設けられており、このプラグ１５に、非接触カード用外部アンテナ２１が接続される。
【００１９】
このプラグ１５が弾設バネ１３の先端部とピン１４との間に矢印Ａ方向に挿入されると、弾設バネ１３とピン１４との接続が開放されると同時に、弾設バネ１３とプラグ１５とが接続される。即ち、非接触カード４と内蔵アンテナ３との接続が遮断され、非接触カード４と外部アンテナ２１とが接続される。
【００２０】
図３は、図１に示す移動体通信装置２０を所持する人が持ち歩く鞄の説明図である。鞄１７の内部の任意の所定位置に、図示する例では、底面位置に、非接触カード用外部アンテナ２１を置いている。尚、移動体通信装置を持ち運ぶ専用の鞄として、所定位置に外部アンテナ２１を取り付けたものを用意しておいてもよい。
【００２１】
図４は、本実施形態に係る非接触カード搭載型移動体通信装置の使用方法の説明図である。移動体通信装置２０を鞄１７内に収納したとき、非接触カード用外部アンテナ２１に接続されたケーブル１８の先端部すなわち図２に示すプラグ１５を接続手段１１内に挿入し、非接触カード４の接続先を、内蔵アンテナ３から外部アンテナ２１に切り替えておく。
【００２２】
そして、自動改札機等の質問器用アンテナ２に近づいたときは、鞄１７の底面を質問器用アンテナ２に対し数センチの距離に近づける。これにより、非接触カード４と質問器１との間で料金決済用のデータ通信が行われ、一々、移動体通信装置２０を鞄１７から取り出す必要がなくなる。
【００２３】
尚、本実施形態では、非接触カード用内蔵アンテナ３を移動体通信装置２０内に設けた例を説明したが、内蔵アンテナ３は必ずしも必要ではない。内蔵アンテナ３を省略することで、移動体通信装置２０をより一層小さく製造することができ、必要に応じて非接触カード用外部アンテナを接続する構成としてもよい。
【産業上の利用可能性】
【００２４】
本発明に係る移動体通信装置は、非接触カード用のアンテナを外部接続可能としたため非接触カードの使用時に移動体通信装置本体を質問器用アンテナに近づける必要がなくなり、使い勝手の良い非接触カード搭載型移動体通信装置として有用である。
【図面の簡単な説明】
【００２５】
【図１】本発明の一実施形態に係る非接触カード搭載型移動体通信装置のブロック構成図
【図２】本発明の一実施形態に係る非接触カード搭載型移動体通信装置の非接触カード用外部アンテナ接続部分の構造図
【図３】本発明の一実施形態に係る非接触カード搭載型移動体通信装置を持ち運ぶ鞄の説明図
【図４】本発明の一実施形態に係る非接触カード搭載型移動体通信装置の使用方法を説明する図
【図５】従来の非接触カード搭載型移動体通信装置のブロック構成図
【符号の説明】
【００２６】
１  質問器
２  質問器用アンテナ
３  非接触カード用内蔵アンテナ
４  非接触カード
６  無線部
１１  接続手段
１２  アンテナ切替スイッチ
１３  弾設バネ
１４  ピン
１５  プラグ
１７  鞄
２０  移動体通信装置
２１  非接触カード用外部アンテナ
【図１】
2006025172.tif 000003
【図２】
2006025172.tif 000004
【図３】
2006025172.tif 000005
【図４】
2006025172.tif 000006
【図５】
2006025172.tif 000007